(57)【要約】【課題】捩れを生じることなく十分な一定の接圧を得ることができるプレスフィットピンを提供する。【解決手段】長手方向中間部に回路基板１０に形成されたスルーホール１１内に圧入される圧入部２と、圧入部２の両側から直線状に延びた結線部３とから１本のピン状に構成され、圧入部２がスルーホール１１に圧入されて回路基板１０に保持されるプレスフィットピン１において、圧入部２は中心部から左右方向に延びた連結部２ａと、連結部２ａの両端から張り出し断面形状が略Ｖ字状である左右の張出部２ｂ，２ｃとを有している。そして、左右の張出部２ａ，２ｂは、圧入部２がスルーホール１１内に圧入されたとき、スルーホール１１の内周面に沿って曲げ方向に撓み、スルーホール１１の内周面と弾圧接触するように構成されている。【選択図】  図１
2004335409.tif 000002
【特許請求の範囲】
【請求項１】
長手方向中間部に取付対象部材に形成された穴内に圧入される圧入部と、前記圧入部の両側から直線状に延びた結線部とから１本のピン状に構成され、前記圧入部が前記穴に圧入されて前記回路基板に保持されるプレスフィットピンにおいて、
前記圧入部は、中心部から左右方向に延びた連結部と、前記連結部の両端から張り出し断面形状が略Ｖ字状である左右の張出部とを有してなり、
前記左右の張出部は、前記圧入部が前記穴内に圧入されたとき、前記穴の内周面に沿って曲げ方向に撓み、前記穴の内周面と弾圧接触することを特徴とするプレスフィットピン。
【発明の詳細な説明】
【０００１】
【発明の属する技術分野】
本発明は、取付対象部材に形成された穴に圧入取り付けされるプレスフィットピンに関する。
【０００２】
【従来の技術】
通常、プレスフィットピンは、長手方向中間部に回路基板等に形成されたスルーホール内に圧入される圧入部と、圧入部の両側から直線状に延びた結線部とから１本のピン状に構成されており、圧入部がスルーホールに圧入されて回路基板に保持される。スルーホールは回路基板を厚さ方向に貫通するように設けられた貫通穴であり、その内周面に導電部が形成されている。このようなスルーホールにプレスフィットピンが圧入されると、圧入部を介して導電部に対して接圧をもって電気的に接続されるようになっている。
【０００３】
このようなプレスフィットピンにおいて、回路基板の電気的特性及び該ピンの引き抜き強度の向上のため、圧入部のスルーホールの内周面（導電部）に対して一定且つ十分な接圧の確保が求められている。
【０００４】
上記のような条件を満足するプレスフィットピンとして、圧入部に該ピンの縦軸線に沿って延長するスリットにより相互に分離されて、この縦軸線の両側で相互に片寄って配置されている１対の脚部が形成されているものが知られている（例えば、特許文献１参照）。このプレスフィットピンは、結線部がスルーホール内に挿入されたときに、上記の脚部が相互に重なり合うように弾力的に変形して圧入部がスルーホールに沿って撓み、スルーホールの内周面に対して接圧をもって保持される。
【０００５】
【特許文献１】
特開昭５０−４４４９１号公報（第１−５図）
【０００６】
【発明が解決しようとする課題】
ところで、通常プレスフィットピンは、スルーホールへの圧入を容易にするために結線部と圧入部との間に外径を結線部から連続的に増大させて圧入部に到るようなテーパがつけられている。プレスフィットピンを回路基板のスルーホールに取り付ける際に、上記のテーパを有した部分がスルーホールの内面に当接するとスルーホール内に捩れを発生させながら圧入されようになるため、プレスフィットピンの取付完了時において（取付開始時と比べて）大きく捩れた角度位置にて固定されてしまう。
【０００７】
その結果、このような捩れの発生により、圧入部のスルーホールへの挿入抵抗が増加したり、十分な接圧が得られずにスルーホールの内周面との接触不良を起こしたりするおそれがあった。また、この捩れに各部材の径方向の製造誤差が加わると、各スルーホールの間で圧入部により行われるスルーホールの拡径量すなわち接圧に差が生じてしまうおそれがあった。
【０００８】
本発明は、このような問題に鑑みてなされたものであり、捩れを生じることなく十分な一定の接圧を得ることができるプレスフィットピンを提供することを目的とする。
【０００９】
【課題を解決するための手段】
上記の目的を達成するために、本発明は、長手方向中間部に取付対象部材に形成された穴内に圧入される圧入部と、圧入部の両側から直線状に延びた結線部とから１本のピン状に構成され、圧入部が穴に圧入されて回路基板に保持されるプレスフィットピンにおいて、圧入部は、中心部から左右方向に延びた連結部と、連結部の両端から張り出し断面形状が略Ｖ字状である左右の張出部とを有してなり、左右の張出部は、圧入部が穴内に圧入されたとき、穴の内周面に沿って曲げ方向に撓み、穴の内周面と弾圧接触するように構成されている。
【００１０】
なお、ここでいう「穴」は、貫通したものであっても、貫通していないものであってもよい。また、ここでいう「左右」とは、張出部の位置関係を示すために便宜上用いている。また、ここでいう「曲げ」とは、面外曲げであり、左右の張出部が穴の内周面に沿って環状に撓むことを示している。
【００１１】
このような構成により、本発明のプレスフィットピンは、圧入部が穴に圧入されると、捩れを生じることなく穴の内周面と一定且つ十分な接圧を得ることができる。また、圧入部が穴に圧入される際に、左右の張出部は穴の内周面に沿って十分に撓むことができるので、穴の内周面を傷つけることなく穴への圧入が可能であるとともに、各部材の寸法誤差による影響をカバーすることができる。
【００１２】
【発明の実施の形態】
以下、図面を参照して本発明の好ましい実施形態について説明する。図１は、本発明に係るプレスフィットピン１を、これが圧入取り付けされるスルーホール１１が形成されている回路基板１０とともに示す図である。図２（ａ）及び（ｂ）は、本プレスフィットピン１の圧入部２の正面図及び側面図、図２（ｃ）は図２（ｂ）における矢視ＩＩｃ−ＩＩｃより見たプレスフィットピン１の圧入部２の断面図である。図３は、本プレスフィットピン１が回路基板１０に設けられたスルーホール１１に圧入取り付けされた状態を示す図である。
【００１３】
プレスフィットピン１は、図１及び図２に示すように、長手方向中間部に形成された圧入部２と、圧入部の両側から直線状に延びた結線部３とから１本のピン状に構成されている。
【００１４】
このプレスフィットピン１は、ワイヤー状のピン材をプレス加工してメッキを施すことによって製造されたものであり、断面の大きさが取付対象（例えば、回路基板１０）の取付用スルーホール１１の径よりも小さく、その断面形状が四角形をなすピン材を加工して作られている。なお、本発明のプレスフィットピン１においては、必ずしもメッキを施す必要はない。
【００１５】
圧入部２は、その中心部から左右方向に延びた連結部２ａと、連結部２ａの両端から張り出し断面形状が略Ｖ字状である左張出部２ｂ及び右張出部２ｃとを有している。そして、左張出部２ｂ及び右張出部２ｃは、圧入部２がスルーホール１１内に圧入されたとき、スルーホール１１の内周面に沿って撓むように（図２中の矢印方向）、弾性変形する。なお、圧入部２の外径は、スルーホール１１の径よりも大きく形成されている。
【００１６】
結線部３は、先端部がスルーホール１１への挿入を容易にするためにテーパ面３ａを有している他は、上記ピン材の寸法及び形状をそのまま留めている。
【００１７】
なお、圧入部２と結線部３は、スルーホール１１への圧入を容易にするために圧入部２から連続的に外径が減少して結線部３に到るように繋がっている。
【００１８】
上記構成であるプレスフィットピン１は、回路基板１０に形成されたスルーホール１１に圧入取り付けされる。なお、スルーホール１１は、図１に示すように、回路基板１０を厚さ方向に貫通するように形成された貫通穴であり、その内周面には回路基板の上下面に形成された配線と同質の導電性物質（例えば、銅）によりメッキ１１ａが施されている。
【００１９】
このようなスルーホール１１に、プレスフィットピン１の結線部３が長手方向に挿入されると、圧入部２の左張出部２ｂ及び右張出部２ｃはスルーホール１１の開口縁により案内され、スルーホール１１に弾性的に押し込められる。すると、スルーホール１１に押し込められた左張出部２ｂ及び右張出部２ｃはその弾性により元の状態に戻ろうと復元力を発生するため、結果としてプレスフィットピン１はスルーホール１１の内周面すなわち回路基板１０に固定保持される。
【００２０】
その際、連結部２ａは変形せず、左張出部２ｂ及び右張出部２ｃが図２中の矢印で示す方向にスルーホール１１の内周面に沿って撓み、図３中のＡ，Ｂ，Ｃ，Ｄで示す４点で該内周面に均等に接触する。したがって、本発明のプレスフィットピン１は、圧入時において捩れを発生させることがない。さらに、スルーホール１１の内周面の一部だけに荷重がかかることがないため、圧入後の該ピンの姿勢も安定する。
【００２１】
また、圧入部２が穴に圧入される際、左右の張出部２ｂ，２ｃは十分に撓むので、スルーホール１１の内周面を傷つけることなく圧入することができるとともに、各部材の寸法誤差による影響をカバーすることができる。
【００２２】
このように、本発明に係るプレスフィットピン１は、捩れることなく回路基板１０に取り付けることができるので、該ピンとスルーホール１１の内周面に施されたメッキ１１ａとの間の接触を良好に保つことができる。その結果、プレスフィットピン１の不具合の発生を効果的に抑えることができる。ひいては、結線部３の断面が上記実施例のように四角形であっても、捩れることなく所定位置に保持されるため、雌コネクタ等との接続の際にこの雌コネクタとの接触子と所定面で接触することが可能となり、接続不良や圧入力の増大という問題を発生させることなく、安定且つ信頼性の高い接続を得ることができる。
【００２３】
なお、本発明に係るプレスフィットピンは、上記実施例に限定されるものではなく、適宜改良可能である。例えば、図４（ａ）に断面図を、図４（ｂ）にこのプレスフィットピンが回路基板１０´に設けられたスルーホール１１´に圧入取り付けされた状態を示す図を示すように、ピン材Ｐの断面形状が円形であるものを用いて構成してもよい。
【００２４】
また、本発明のプレスフィットピンは、板材を切り抜き、プレス加工して製造されたものを用いてもよい。さらに、これにメッキを施して製造されたものを用いてもよい。
【００２５】
また、本発明のプレスフィットピンは、コイルボビン等に形成された穴に圧入取り付けすることも可能である。本プレスフィットピンは、例えばコイルボビンがプラスチック製であっても、上記穴にダメージを与えることなく圧入取り付けすることができる。
【００２６】
このように、本発明のプレスフィットピンが圧入取り付けされるのは、上記実施形態のように、必ずしもスルーホールでもなくてよく、また回路基板でなくてもよい。
【００２７】
【発明の効果】
以上説明したように、本発明によれば長手方向中間部に取付対象部材に形成された穴内に圧入される圧入部と、圧入部の両側から直線状に延びた結線部とから１本のピン状に構成され、圧入部が穴に圧入されて回路基板に保持されるプレスフィットピンにおいて、圧入部は、中心部から左右方向に延びた連結部と、連結部の両端から張り出し断面形状が略Ｖ字状である左右の張出部とを有してなり、左右の張出部は、圧入部が穴内に圧入されたとき、穴の内周面に沿って曲げ方向に撓み、穴の内周面と弾圧接触するように構成されている。
【００２８】
このような構成により、本発明のプレスフィットピンは、圧入部が穴に圧入されると、捩れを生じることなく穴の内周面と一定且つ十分な接圧を得ることができる。また、圧入部が穴に圧入される際に、左右の張出部は穴の内周面に沿って十分に撓むことができるので、穴の内周面を傷つけることなく穴への圧入が可能であるとともに、各部材の寸法誤差による影響をカバーすることができる。
【図面の簡単な説明】
【図１】本発明に係るプレスフィットピンを、これが圧入取り付けされる回路基板とともに示す図である。
【図２】（ａ）及び（ｂ）は、上記実施形態に係るプレスフィットピンの圧入部の正面図及び側面図、（ｃ）は（ｂ）における矢視ＩＩｃ−ＩＩｃより見たプレスフィットピンの圧入部の断面図である。
【図３】上記実施形態に係るプレスフィットピンが回路基板に設けられたスルーホールに圧入取り付けされた状態を示す図である。
【図４】上記実施形態に係るプレスフィットピンの変形例を示す図である。
【符号の説明】
１    プレスフィットピン
２    圧入部
２ａ  連結部
２ｂ  左張出部
２ｃ  右張出部
３    結線部
１０  回路基板    （取付対象部材）
１１  スルーホール（穴）
【図１】
2004335409.tif 000003
【図２】
2004335409.tif 000004
【図３】
2004335409.tif 000005
【図４】
2004335409.tif 000006